【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
ネットワークのアクセスポイントを操作するための、前記アクセスポイントに実装される、方法であって、
−  低電力セットに属し、少なくとも１つの低電力チャネル上で第１の電力レベルより低い電力レベルで送信することが可能な前記アクセスポイントを構成するステップと、
−  前記アクセスポイントが前記低電力セットに属することの表示を送信するステップと、
を含み、
近隣アクセスポイントにより送信される信号の受信電力が第２の電力レベル未満である、前記少なくとも１つの低電力チャネルの中で送信用の低電力チャネルを選択するステップをさらに含む、前記方法。
【請求項２】
前記低電力チャネルを選択するステップの間に、低電力チャネルは、前記少なくとも１つの低電力チャネルの各々において前記近隣アクセスポイントにより送信される信号の前記受信電力が前記第２の電力レベルよりも大きいときは選択されない、請求項１に記載の方法。
【請求項３】
前記低電力チャネルを選択するステップの間に、低電力チャネルは、前記近隣アクセスポイントの数が最大である、前記少なくとも１つの低電力チャネルの中でさらに選択される、請求項１に記載の方法。
【請求項４】
前記低電力チャネルを選択するステップの間に、低電力チャネルは、前記近隣アクセスポイントの数がある値より低い、前記少なくとも１つの低電力チャネルの中でさらに選択される、請求項１から３のいずれか一項に記載の方法。
【請求項５】
前記低電力チャネルを選択するステップの間に、低電力チャネルは、前記近隣アクセスポイントにより送信される信号の前記受信電力が最低である、前記少なくとも１つの低電力チャネルからさらに選択される、請求項１から４のいずれか一項に記載の方法。
【請求項６】
チャネル上で前記近隣アクセスポイントにより送信される信号の前記受信電力は、
−  前記チャネル上で前記近隣アクセスポイントの各々により送信される任意の信号の前記アクセスポイントによる前記受信電力、
−  予め定められた期間にわたる、前記チャネルにおいて前記近隣アクセスポイントの各々により送信される信号の前記アクセスポイントによる平均受信電力、
−  前記近隣アクセスポイントの各々のビーコンフレームを含む信号を除く、前記チャネルにおいて前記近隣アクセスポイントの各々により送信される任意の信号の前記アクセスポイントによる前記受信電力
の少なくとも１つから選定される、請求項１から５のいずれか一項に記載の方法。
【請求項７】
前記アクセスポイントが前記低電力セットに属することの表示を、前記アクセスポイントにより前記送信するステップは、ビーコンフレームの前記送信を含み、前記ビーコンフレームは前記表示を含む、請求項１から６のいずれか一項に記載の方法。
【請求項８】
前記ビーコンフレームは、前記第１の電力レベルよりも大きな電力レベルで送信される、請求項７に記載の方法。
【請求項９】
ネットワークのアクセスポイントであって、
−  低電力セットに属し、少なくとも１つの低電力チャネル上で第１の電力レベルより低い電力レベルで送信することが可能な前記アクセスポイントを構成する手段と、
−  前記アクセスポイントが前記低電力セットに属することの表示を送信する手段と、
を含み、
近隣アクセスポイントにより送信される信号の受信電力が第２の電力レベル未満である、前記少なくとも１つの低電力チャネルの中で送信用の低電力チャネルを選択する手段をさらに含む、前記アクセスポイント。
【請求項１０】
前記低電力チャネルを選択する間に、低電力チャネルは、前記少なくとも１つの低電力チャネルの各々において前記近隣アクセスポイントにより送信される信号の前記受信電力が前記第２の電力レベルよりも大きいときは選択されない、請求項９に記載のアクセスポイント。
【請求項１１】
前記低電力チャネルを選択する間に、低電力チャネルは、前記近隣アクセスポイントの数が最大である、前記少なくとも１つの低電力チャネルの中でさらに選択される、請求項９に記載のアクセスポイント。
【請求項１２】
前記低電力チャネルを選択する間に、低電力チャネルは、前記近隣アクセスポイントにより送信される信号の前記受信電力が最低である、前記少なくとも１つの低電力チャネルからさらに選択される、請求項９から１１のいずれか一項に記載のアクセスポイント。
【請求項１３】
チャネル上で前記近隣アクセスポイントにより送信される信号の前記受信電力は、
−  前記チャネル上で前記近隣アクセスポイントの各々により送信される任意の信号の前記アクセスポイントによる前記受信電力、
−  予め定められた期間にわたる、前記チャネルにおいて前記近隣アクセスポイントの各々により送信される信号の前記アクセスポイントによる平均受信電力、
−  前記近隣アクセスポイントの各々のビーコンフレームを含む信号を除く、前記チャネルにおいて前記近隣アクセスポイントの各々により送信される任意の信号の前記アクセスポイントによる前記受信電力
の少なくとも１つから選定される、請求項９から１２のいずれか一項に記載のアクセスポイント。
【請求項１４】
前記アクセスポイントが前記低電力セットに属することの表示の前記アクセスポイントによる前記送信は、ビーコンフレームの前記送信を含み、前記ビーコンフレームは前記表示を含む、請求項９から１３のいずれか一項に記載のアクセスポイント。
【請求項１５】
前記ビーコンフレームは、前記第１の電力レベルよりも大きな電力レベルで送信される、請求項１４に記載のアクセスポイント。
【手続補正２】
【補正対象書類名】明細書
【補正対象項目名】００５２
【補正方法】変更
【補正の内容】
【００５２】
メモリＲＯＭ３２は特に、
−  「ｐｒｏｇ」３２１プログラム、および、
−  物理層のパラメータ３２２
を備える。
【手続補正３】
【補正対象書類名】明細書
【補正対象項目名】００７０
【補正方法】変更
【補正の内容】
【００７０】
図６は、個別の実施形態による、検出されたスペクトルの例を示す。５から１５と番号が付けられた、スペクトルの異なるチャネル６１が示されている。各々のチャネルに対して、周波数割り当てステップの間にアクセスポイントにより検出される近隣アクセスポイントの数６２もまた示されている。６〜１４と番号が付けられたチャネルは、ＬＰＣチャネルを含む予約周波数空間に属する。ゆえに、利用可能な９つのＬＰＣチャネルの中から、６つのＬＰＣチャネルのみ（すなわち、チャネル６から９、１１、および１２）が、ＣＣＡ閾値６３より下の電力レベルによって通信をこれらの周波数上で受信する。これらの６つの残存するＬＰＣチャネルの中から、５つのみが、協働的アクセスポイントにより現実に占有されている。前に説明された割り当てステップの変形例によると、ＬＰＣチャネル７または８の１つは、これらのＬＰＣチャネルが最大数６２（すなわち３）のアクセスポイントを含むので、ＬＰＣチャネル割り当てステップの間にアクセスポイントにより選択されることになる。数３は、ＬＰＣチャネルごとのＬＰＣアクセスポイントの決定された最大数より下であることがさらに想定されている。割り当てステップの別の変形例によると、ＬＰＣアクセスポイントは有利には、ＲＳＳＩ平均電力判定基準に基づいて、チャネル７およびチャネル８からＬＰＣチャネルを選択する。
【手続補正４】
【補正対象書類名】明細書
【補正対象項目名】００７２
【補正方法】変更
【補正の内容】
【００７２】
特に本発明は、図１に示されるような２つの協働的アクセスポイントを備えるネットワークに制限されない。特に本発明は、無認可帯域通信に良好に適合する。ネットワークは、５ＧＨｚ周波数帯域を使用するＷｉ−Ｆｉ（登録商標）ネットワークに制限されるものではなく、例えばＨｉｐｅｒＬＡＮ２、または、ＬＴＥ（ロングタームエボリューション）を使用する、もしくはＨＳＤＰＡ（高速ダウンリンクパケットアクセス）を使用するフェムトセルなどの、任意のＷＬＡＮタイプワイヤレスネットワークに伸展する。同じ方途でネットワークは、例えば、２．４ＧＨｚ周波数帯域を使用するＷｉ−Ｆｉネットワーク（規格ＩＥＥＥ  ８０２．１１ｂまたはＩＥＥＥ  ８０２．１１ｇ）、Ｂｌｕｅｔｏｏｔｈ型ネットワーク（規格ＩＥＥＥ  ８０２．１５．１）、ＷｉＭａｘ（規格ＩＥＥＥ  ８０２．１６）、ＲＡＮ（リージョナルエリアネットワーク、規格ＩＥＥＥ  ８０２．２２）、またはＥＴＳＩ  ＨｉｐｅｒＰＡＮネットワークなどの、タイプＷＬＡＮまたはＷＰＡＮ（ワイヤレスパーソナルエリアネットワーク）の任意のワイヤレスネットワークに伸展する。本発明は、ネットワークのタイプに制限されるものではなく、共存するネットワークの任意のセットに伸展し、それは、周波数および電力の共同構成に関して強調するような様式で伸展することが可能である。
【手続補正５】
【補正対象書類名】明細書
【補正対象項目名】００７３
【補正方法】変更
【補正の内容】
【００７３】
特に本発明は、説明された周波数割り当てステップにも制限されない。任意の既存の割り当て手順が、このＬＰＣチャネル上でのＬＰＣアクセスポイントの送信電力が電力の制限判定基準を満たすならば直ちに、本発明と両立可能である。
［付記１］
ネットワーク（１００）の第１のアクセスポイント（ＬＰＣ＿ＡＰ  Ａ、ＬＰＣ＿ＡＰ  Ｂ）の構成方法であって、前記第１のアクセスポイントで実現される、
−  少なくとも１つの低電力チャネル上で、低電力で送信することが可能な少なくとも１つのアクセスポイントを備える低電力セットに属するような前記第１のアクセスポイントの構成ステップ（５０）と、
−  前記低電力セットに対する前記アクセスポイントのメンバーシップを表す情報の要素の送信ステップ（５３）と、
を含む、前記方法。
［付記２］
前記構成ステップは、低電力チャネル上で前記第１のアクセスポイントにより送信される信号電力は前記第１の閾値よりも小さい、第１の閾値の決定を含む、付記１に記載の方法。
［付記３］
−  前記第１のアクセスポイントによる低電力チャネルの選択ステップ（５２）であって、前記選択は、一組の少なくとも１つのチャネルのチャネル上で近隣アクセスポイントにより送信される信号の受信電力に依存的である、前記選択ステップ（５２）
を含む、付記１または２に記載の方法。
［付記４］
低電力チャネルの前記選択ステップ（５２）の間に、低電力チャネルは、前記近隣アクセスポイントにより送信される信号の前記受信電力が第２の閾値よりも小さい、前記少なくとも１つの低電力チャネルから選択される、付記３に記載の方法。
［付記５］
低電力チャネルの前記選択ステップ（５２）の間に、低電力チャネルは、前記少なくとも１つの低電力チャネルの各々において前記近隣アクセスポイントにより送信される信号の前記受信電力が前記第２の閾値よりも大きいときは選択されない、付記４に記載の方法。
［付記６］
低電力チャネルの選択ステップ（５２）の間に、低電力チャネルは、近隣アクセスポイントの数が最大である、前記少なくとも１つの低電力チャネルの中でさらに選択される、付記４に記載の方法。
［付記７］
低電力チャネルの選択ステップ（５２）の間に、低電力チャネルは、近隣アクセスポイントの数が第３の閾値より低い、前記少なくとも１つの低電力チャネルの中でさらに選択される、付記４または６に記載の方法。
［付記８］
低電力チャネルの前記選択ステップ（５２）の間に、低電力チャネルは、前記少なくとも１つの低電力チャネルの各々の上での近隣アクセスポイントの前記数は前記第３の閾値よりも大きいときは選択されない、付記７に記載の方法。
［付記９］
低電力チャネルの前記選択ステップ（５２）の間に、低電力チャネルは、前記近隣アクセスポイントにより送信される信号の前記受信電力が最低である、前記少なくとも１つの低電力チャネルからさらに選択される、付記４乃至８のいずれか一項に記載の方法。
［付記１０］
チャネル上で前記近隣アクセスポイントにより送信される信号の前記受信電力は、
−  前記チャネル上で前記近隣アクセスポイントの各々により送信される任意の信号の前記第１のアクセスポイントによる前記受信電力、
−  決定された期間にわたる、前記チャネルにおいて前記近隣アクセスポイントの各々により送信される信号の前記第１のアクセスポイントによる平均受信電力、
−  前記近隣アクセスポイントの各々のビーコンフレームを含む信号を除く、前記チャネルにおいて前記近隣アクセスポイントの各々により送信される任意の信号の前記第１のアクセスポイントによる前記受信電力
から選定される、付記３乃至９のいずれか一項に記載の方法。
［付記１１］
前記低電力セットに対する前記少なくとも１つの第１のアクセスポイントの前記メンバーシップを表す前記表示の前記第１のアクセスポイントによる前記送信ステップ（５３）は、ビーコンフレームの前記送信を含み、前記ビーコンフレームは前記表示を含む、付記１乃至１０のいずれか一項に記載の方法。
［付記１２］
前記ビーコンフレームは、前記第１の閾値よりも大きな電力レベルで送信される、付記２または１１に記載の方法。
［付記１３］
前記ビーコンフレームは、付記１２に記載の前記ビーコンフレームの送信のレベルを表す情報の要素を含む、付記１１または１２に記載の方法。
［付記１４］
付記１乃至１３のいずれか一項に記載の方法を実現するデバイス。
［付記１５］
ネットワーク（１００）の構成のための方法であって、少なくとも１つの構成デバイスで実現される以下のステップ、すなわち、
−  少なくとも１つの低電力チャネルを含む周波数空間の予約ステップ（４０）と、
−  前記少なくとも１つの低電力チャネル上で、低電力で送信することが可能な少なくとも１つのアクセスポイントを備える低電力セットの構成ステップ（４１）であって、前記少なくとも１つのアクセスポイントに対する構成情報の要素を送出するステップを含む、構成ステップ（４１）と、
を含む、前記方法。